【手続補正書】
【提出日】平成25年9月4日(2013.9.4)
【手続補正１】
【補正対象書類名】特許請求の範囲
【補正対象項目名】全文
【補正方法】変更
【補正の内容】
【特許請求の範囲】
【請求項１】
ラベル作成システムにおいて、
少なくとも１つのプロセッサーと、
少なくとも１つの入力／出力装置を有するユーザーインターフェースと、
ラベル作成システムに１組の機能を実行させるために少なくとも１つのプロセッサーにより実行可能な指示を有するラベリングアプリケーションとを備え、
前記１組の機能が、
関連するラベリングタスクの１組のグループを前記ユーザーインターフェースを介して提供することと、
提供されたグループの中から１つのグループの選択を、前記ユーザーインターフェースを介して受け、選択されたグループに関する１組のラベルを規定するラベルデータを作成するために、１組のプロセス選択肢を前記ユーザーインターフェースを介して、応答して提供し、前記ラベルデータはラベルの各説明文を有し、前記１組のプロセス選択肢はインタビューと特定のラベリングタスクとを含むことと、
前記提供されたプロセス選択肢の中から一方の選択を前記ユーザーインターフェースを介して受け、選択されたプロセス選択肢が前記インタビューであれば、適切なラベリングタスクと適切なラベリングタスクの境界を決定するために前記ラベル作成システムにより部分的に使用される応答を求める一連の質問を前記ユーザーインターフェースを介して提供し、前記質問への応答を前記ユーザーインターフェースを介して受け、前記適切なラベリングタスク用の前記ラベルデータを作成ために前記応答を使用することと、
選択されたプロセス選択肢が前記特定のラベリングタスクであれば、選択されたグループ内の特定のラベリングタスクのリストを前記ユーザーインターフェースを介して提供し、提供されたラベリングタスクの中からの１つの特定のラベリングタスクの選択を前記ユーザーインターフェースを介して受け、前記選択されたラベリングタスクへの少なくとも一部で特定の操縦可能なインターフェイスのシーケンスを前記ユーザーインターフェースを介して提供し、少なくとも１つのユーザー入力を前記インターフェースのシーケンスを介して受け、前記選択された特定のラベリングタスク用の前記ラベルデータを作成するために少なくとも１つのユーザー入力を使用することと、
（ｉ）ラベルデータに従って少なくとも１セットのラベルを印刷するために使用可能な出力ファイル、（ｉｉ）ラベルデータに従って少なくとも１セットのラベルを印刷するために汎用目的の印刷適用を可能にする出力ファイル、（ｉｉｉ）ラベルデータに従って少なくとも１つのプリンターにより少なくとも１組のラベルの印刷を可能にする印刷ジョブ、（ｉｖ）少なくとも１つのメモリに記憶され、且つラベルデータに従って少なくとも１組のラベルを印刷するために使用できる、少なくとも１組の出力データのうち、上記（ｉ）から（ｉｖ）の少なくとも１つを作成するためにラベルデータを使用すること
を備えている、ラベル作成システム。
【請求項２】
前記システムに連結されているプリンタを更に備えている、請求項１に記載のラベル作成システム。
【請求項３】
前記少なくとも１つの入力／出力装置は、キーボードとディスプレイを備えている、請求項１に記載のラベル作成システム。
【請求項４】
前記ラベリングアプリケーションは、関連するラベリングタスクの前記１組のグループの中の複数のグループに各々対応する少なくとも２つのモジュールを有し、各モジュールは対応する１つのグループのラベルを作成するようになっている、請求項１に記載のラベル作成システム。
【請求項５】
前記特定のラベリングタスクの選択肢は、ユーザーがラベルに印刷するべき項目を特定するためにユーザーに図入りで案内するロードマップ選択肢であり、前記項目は選択されたグループに関係する、請求項１に記載のラベル作成システム。
【請求項６】
選択されたプロセス選択肢がインタビュー選択肢である場合、少なくとも１つの質問は、チェックボックスとダイアログボックスの少なくとも一方である、請求項１に記載のラベル作成システム。
【請求項７】
前記１組の機能は更に、ラベリングの標準に従うように前記ユーザーインターフェースを介して選択肢を提供することを含む、請求項１に記載のラベル作成システム。
【請求項８】
前記ラベルデータに従って少なくとも１組のラベルを印刷するために、汎用目的の印刷適用を可能にする出力ファイルは、印刷パラメータと印刷フォーマットを特定するデータを有する、請求項１に記載のラベル作成システム。
【請求項９】
関連するラベリングタスクのグループの少なくとも１つがパネルショップマーケットに対応する、請求項１に記載のラベル作成システム。
【請求項１０】
関連するラベリングタスクのグループの少なくとも１つが企業マーケットに対応する、請求項１に記載のラベル作成システム。
【請求項１１】
前記1組の機能は更に、複数の出力選択肢を前記ユーザーインターフェースを介して提供する、請求項１に記載のラベル作成システム。
【請求項１２】
前記複数の出力選択肢は、携帯式プリンタへの印刷選択肢、デスクトッププリンタへの印刷選択肢、ファイルへの保存選択肢を有する、請求項１に記載のラベル作成システム。
【請求項１３】
ラベリング作成システムにより実行される方法であって、前記ラベリング作成システムが、少なくとも１つのプロセッサと、少なくとも１つの入力／出力装置を有するユーザーインターフェースと、前記ラベリング作成システムに前記方法を実行させるために少なくとも１つのプロセッサにより実行可能な指示を有するラベリングアプリケーションとを有し、
前記方法は、
関連するラベリングタスクの１組のグループを前記ユーザーインターフェースを介して提供するステップと、
提供された１組のグループから１つのグループの選択を前記ユーザーインターフェースを介して受け、選択されたグループに関連する１組のラベルを定義するラベルデータを作成するために１組のプロセス選択肢を前記ユーザーインターフェースを介して応答して提供するステップであって、前記ラベルデータがラベルの各説明文を有し、前記１組のプロセス選択肢がインタビュー選択肢と特定のラベリングタスク選択肢とを有する、ステップと、
提供された１組のプロセス選択肢からの１つのプロセス選択肢の選択を前記ユーザーインターフェースを介して受け、選択されたプロセス選択肢がインタビュー選択肢であれば、適切なラベリングタスクと適切なラベリングタスクの境界を決定するために前記ラベル作成システムにより部分的に使用される応答を求める一連の質問を前記ユーザーインターフェースを介して提供し、前記質問への応答を前記ユーザーインターフェースを介して受け、前記適切なラベリングタスク用の前記ラベルデータを作成するために前記応答を使用するステップと、
選択されたプロセス選択肢が特定のラベリングタスク選択肢である場合には、選択されたグループ内の特定のラベリングタスクのリストを前記ユーザーインターフェースを介して提供し、提供されたラベリングタスクから１つの特定のラベリングタスクの選択を前記ユーザーインターフェースを介して受け、前記選択されたラベリングタスクに少なくとも部分的に特定の操縦可能なインターフェイスのシーケンスを前記ユーザーインターフェースを介して提供し、少なくとも１つのユーザー入力を前記インターフェースのシーケンスを介して受け、前記選択された特定のラベリングタスク用の前記ラベルデータを作成するために少なくとも１つのユーザー入力を使用するステップと、
（ｉ）ラベルデータに従って少なくとも１セットのラベルを印刷するために使用可能な出力ファイル、（ｉｉ）ラベルデータに従って少なくとも１セットのラベルを印刷するために汎用目的の印刷適用を可能にする出力ファイル、（ｉｉｉ）ラベルデータに従って少なくとも１つのプリンタにより、少なくとも１組のラベルを印刷可能にする印刷ジョブ、（ｉｖ）少なくとも１つのメモリに記憶され、且つラベルデータに従って少なくとも１組のラベルを印刷するために使用できる、少なくとも１組の出力データのうち、上記（ｉ）から（ｉｖ）の少なくとも１つを作成するためにラベルデータを使用するステップとを有する、
ラベリング作成システムにより実行される方法。
【請求項１４】
ラベル作成システムであって、
少なくとも１つのプロセッサと、
少なくとも１つの入力／出力装置を有するユーザーインターフェースと、
前記ラベル作成システムに１組の機能を実行させるために、少なくとも１つのプロセッサにより実行可能な指示を有するラベリングアプリケーションとを有し、
前記１組の機能が、
関連するラベリングタスクの１組のグループを前記ユーザーインターフェースを介して提供することと、
提供されたグループの中からの１つのグループの選択を、前記ユーザーインターフェースを介して受け、選択可能で且つ各アイコンが前記選択されたグループ内の各ラベリングタスクを視覚的に表す１組のアイコンを、前記ユーザーインターフェースを介して応答して提供することと、
提供されたアイコンの中から１つのアイコンの選択を前記ユーザーインターフェースを介して受け、前記選択されたアイコンにより視覚的に表される各ラベリングタスクに少なくとも部分的に特定の操縦可能なインターフェイスのシーケンスを前記ユーザーインターフェースを介して応答して提供することと、
少なくとも１つのユーザー入力を前記インターフェースのシーケンスを介して受け、前記少なくとも１つのユーザー入力を使用して、選択されたアイコンにより視覚的に表される各ラベリングタスクに関係する１組のラベルを定義し、ラベルの各説明文を有するラベルデータを作成することと、
（ｉ）ラベルデータに従って少なくとも１セットのラベルを印刷するために使用可能な出力ファイル、（ｉｉ）ラベルデータに従って少なくとも１セットのラベルを印刷するために汎用目的の印刷適用を可能にする出力ファイル、（ｉｉｉ）ラベルデータに従って少なくとも１つのプリンタが少なくとも１セットのラベルを印刷できる印刷ジョブ、（ｉｖ）少なくとも１つのメモリに記憶され、且つラベルデータに従って少なくとも１セットのラベルを印刷するために使用できる、少なくとも１組の出力データのうち、上記（ｉ）から（ｉｖ）の少なくとも１つを作成するためにラベルデータを使用すること
とを有する、ラベル作成システム。
【請求項１５】
前記ラベル作成システムに接続されたプリンタを有する、請求項１４に記載のラベル作成システム。
【請求項１６】
前記少なくとも１つの入力／出力装置は、キーボードとディスプレイを有する、請求項１４に記載のラベル作成システム。
【請求項１７】
携帯式プリンタに組み込まれた、請求項１４に記載のラベル作成システム。
【請求項１８】
前記ラベリングアプリケーションは、関連するラベリングタスクの１組のグループ内の１または２以上のグループに対応する少なくとも１つのモジュールを有し、前記モジュールが前記対応するグループ用のラベルを作成するようになっている、請求項１４に記載のラベル作成システム。
【請求項１９】
前記ラベルデータに従う少なくとも１組のラベルを印刷するために、汎用目的の印刷適用を可能にする出力ファイルが、印刷パラメータと印刷フォーマットを特定するデータを有する、
請求項１４に記載のラベル作成システム。
【請求項２０】
関連するラベリングタスクのグループの少なくとも１つがパネルショップマーケットに対応する、請求項１４に記載のラベル作成システム。
【請求項２１】
関連するラベリングタスクのグループの少なくとも１つが企業マーケットに対応する、請求項１４に記載のラベル作成システム。
【請求項２２】
前記１組の機能が、複数の出力選択肢を前記ユーザーインターフェースを介して提供することを含む、請求項１４に記載のラベル作成システム。
【請求項２３】
前記ラベルデータが更に、１または２以上のラベル用のラベルフォーマットデータ、ラベル用のラベルタイプデータ、ラベル用のラベル量データ、ラベル用のラベル一部数量データ、ラベルに印刷するべき項目を特定するデータを有する、請求項１４に記載のラベル作成システム。
【請求項２４】
操縦可能なインターフェースのシーケンスを提供することは、１組のラベルを使用してラベルに印刷するべき項目を配置する、少なくとも１つの設備の図形描写を呈示することを有する、請求項１４に記載のラベル作成システム。
【請求項２５】
操縦可能なインターフェースのシーケンスを提供することは、１組のラベルを使用してラベルに印刷するべき項目の図形的な記載を提供することを含む、請求項１４に記載のラベル作成システム。